(57)【特許請求の範囲】
【請求項１】
撮影レンズ及び撮像素子を介して得られる被写体像を示す画像データを記録媒体に記録する電子カメラにおいて、
ストロボ装置と、
ストロボ撮影時に取り込んだ画像データに基づいて露出アンダーか否かを検知する第１の検知手段と、
前記ストロボ装置の発光量が最大か否かを検知する第２の検知手段と、
ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、
前記第１の判断手段により指掛かりがあったことが判断されると、指掛かりを警告する警告手段と、
を備えたことを特徴とする電子カメラ。
【請求項２】
撮影レンズ及び撮像素子を介して得られる被写体像を示す画像データを記録媒体に記録する電子カメラにおいて、
ストロボ装置と、
ストロボ撮影時に取り込んだ画像データに基づいて露出アンダーか否かを検知する第１の検知手段と、
前記ストロボ装置の発光量が最大か否かを検知する第２の検知手段と、
ストロボ撮影時に前記第１の検知手段により露出アンダーが検知され、かつ前記第２の検知手段により発光量が最大であることが検知されると、ストロボ未到達であると判断する第２の判断手段と、
前記第２の判断手段によりストロボ未到達であることが判断されると、該ストロボ撮影時に取り込んだ画像データに対して適正露出となるようにレベル変換した後に前記記録媒体に記録する手段と、
を備えたことを特徴とする電子カメラ。
【請求項３】
撮影レンズ及び撮像素子を介して得られる被写体像を示す画像データを記録媒体に記録する電子カメラにおいて、
ストロボ装置と、
ストロボ撮影時に取り込んだ画像データに基づいて露出アンダーか否かを検知する第１の検知手段と、
前記ストロボ装置の発光量が最大か否かを検知する第２の検知手段と、
ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、
ストロボ撮影時に前記第１の検知手段により露出アンダーが検知され、かつ前記第２の検知手段により発光量が最大であることが検知されると、ストロボ未到達であると判断する第２の判断手段と、
前記第１の判断手段により指掛かりがあったことが判断されると、指掛かりを警告し、前記第２の判断手段によりストロボ未到達であることが判断されると、ストロボ未到達を警告する警告手段と、
を備えたことを特徴とする電子カメラ。
【請求項４】
撮影レンズ及び撮像素子を介して得られる被写体像を示す画像データを記録媒体に記録する電子カメラにおいて、
ストロボ装置と、
ストロボ撮影時に取り込んだ画像データに基づいて露出アンダーか否かを検知する第１の検知手段と、
前記ストロボ装置の発光量が最大か否かを検知する第２の検知手段と、
ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、
ストロボ撮影時に前記第１の検知手段により露出アンダーが検知され、かつ前記第２の検知手段により発光量が最大であることが検知されると、ストロボ未到達であると判断する第２の判断手段と、
前記第１の判断手段により指掛かりがあったことが判断されると、指掛かりを警告する警告手段と、
前記第２の判断手段によりストロボ未到達であることが判断されると、該ストロボ撮影時に取り込んだ画像データに対して適正露出となるようにレベル変換した後に前記記録媒体に記録する手段と、
を備えたことを特徴とする電子カメラ。
【請求項５】
前記第２の検知手段は、前記ストロボ装置の発光時間又はメインコンデンサの発光前後の電圧変化に基づいて発光量が最大か否かを検知することを特徴とする請求項１乃至４のいずれかに記載の電子カメラ。
【請求項６】
撮影レンズ及び撮像素子を介して得られる被写体像を示す画像データを記録媒体に記録する電子カメラにおいて、
ストロボ装置と、
ストロボ撮影時に取り込んだ画像データに基づいて露出アンダーか否かを検知する第１の検知手段と、
被写体距離を測定する測距手段と、
ストロボ撮影時に前記測距手段によって測定された被写体距離が所定のストロボ到達距離以内か否かを検知する第２の検知手段と、
ストロボ撮影時に前記第１の検知手段により露出アンダーが検知され、かつ前記第２の検出手段によりストロボ到達距離以内であることが検知されると、前記ストロボ装置に対する指掛かりがあったと判断する第１の判断手段と、
前記第１の判断手段により指掛かりがあったことが判断されると、指掛かりを警告する警告手段と、
を備えたことを特徴とする電子カメラ。
【請求項７】
撮影レンズ及び撮像素子を介して得られる被写体像を示す画像データを記録媒体に記録する電子カメラにおいて、
ストロボ撮影時に取り込んだ画像データに基づいて露出アンダーか否かを検知するとともに、ストロボ装置の発光量が最大か否かを検知し、
前記ストロボ撮影時に露出アンダーが検知され、かつ発光量が最大でないことが検知されると、ストロボ装置に対する指掛かりがあったと判断することを特徴とする電子カメラの指掛かり検出方法。
【請求項８】
撮影レンズ及び撮像素子を介して得られる被写体像を示す画像データを記録媒体に記録する電子カメラにおいて、
ストロボ撮影時に取り込んだ画像データに基づいて露出アンダーか否かを検知するとともに、ストロボ装置の発光量が最大か否かを検知し、
前記ストロボ撮影時に露出アンダーが検知され、かつ発光量が最大であることが検知されると、ストロボ未到達であると判断し、該ストロボ撮影時に取り込んだ画像データに対して適正露出となるようにレベル変換することを特徴とする電子カメラのレベル変換方法。
【請求項９】
撮影レンズ及び撮像素子を介して得られる被写体像を示す画像データを記録媒体に記録する電子カメラにおいて、
ストロボ撮影時に取り込んだ画像データに基づいて露出アンダーか否かを検知するとともに、被写体距離を測定し該被写体距離が所定のストロボ到達距離以内か否かを検知し、
前記ストロボ撮影時に露出アンダーが検知され、かつ被写体距離が所定のストロボ到達距離以内であることが検知されると、前記ストロボ装置に対する指掛かりがあったと判断することを特徴とする電子カメラの指掛かり検出方法。
【発明の詳細な説明】
【０００１】
【発明の属する技術分野】
本発明は電子カメラに係り、特にオートストロボ装置に対する指掛かり警告等を行う電子カメラと、電子カメラの指掛かり検出方法及び電子カメラのレベル変換方法に関する。
【０００２】
【従来の技術】
近年、電子カメラは小型化が進んでおり、ユーザーがカメラを構えた時に、ストロボに指が掛かりやすいという問題がある。
従来からこの種の指掛かりについては、静電容量検出型の指掛かりセンサを取り付け、静電容量の変化に基づいてユーザーに指掛かりを警告する方法（特開平７−３０６４５３号公報参照）や、配置を考慮して指から遠い順に重要な部材を配置し、指掛かりがあってもその影響を最小限にしたものが提案されている（特開平１０−２２１７６１号公報参照）。
【０００３】
【発明が解決しようとする課題】
ところで、オートストロボ装置の発光窓等に指が掛かると、ストロボ光が指で反射し、その反射光がストロボ調光センサに入射し、ストロボが早く調光して撮影画像の露出がアンダーになることがある。
しかしながら、かかる問題を解決するために、上記のようにカメラに指掛かりセンサを設ける場合には、センサの配置スペースが必要となり、カメラの小型化に適さないなど、カメラのサイズ、コストの問題がある。また、配置を考慮して、例えばストロボ調光センサだけをストロボ発光窓から離れた場所に配置することが考えられるが、この場合には、ユーザーに指掛かりを積極的に警告することができないという問題がある。また、ストロボ調光センサがストロボ回路から遠ざかり、配線が長くなり、小型化のための最適な回路構成にできないという問題がある。
【０００４】
本発明はこのような事情に鑑みてなされたもので、その目的は専用の指掛かりセンサを設けることなく、ストロボ指掛かりを検知し警告することができる電子カメラ及び電子カメラの指掛かり検出方法を提供することにある。
また、本発明の他の目的は、ストロボ未到達を警告し又はストロボ未到達でも露光不足を補うことができる電子カメラ及び電子カメラのレベル変換方法を提供することにある。
【０００５】
【課題を解決するための手段】
上記目的を達成するために本願請求項１に係る発明は、撮影レンズ及び撮像素子を介して得られる被写体像を示す画像データを記録媒体に記録する電子カメラにおいて、ストロボ装置と、ストロボ撮影時に取り込んだ画像データに基づいて露出アンダーか否かを検知する第１の検知手段と、前記ストロボ装置の発光量が最大か否かを検知する第２の検知手段と、ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、前記第１の判断手段により指掛かりがあったことが判断されると、指掛かりを警告する警告手段と、を備えたことを特徴としている。
【０００６】
即ち、ストロボ撮影時に取り込んだ画像データに基づいて露出アンダーが検知され、かつストロボ装置の発光量が最大でないこと（最大限まで発光せずに発光が停止されたこと）が検知されると、指掛かりがあったと判断するようにしている。これは、ストロボ光が指に当たって反射すると、その反射光がストロボ調光センサに入射してストロボが早く調光し、これによりストロボ装置の発光量が不足し、露出がアンダーになるからである。そして、この場合には、指掛かりがあったことを警告するようにしている。
【０００７】
本願請求項２に係る発明は、撮影レンズ及び撮像素子を介して得られる被写体像を示す画像データを記録媒体に記録する電子カメラにおいて、ストロボ装置と、ストロボ撮影時に取り込んだ画像データに基づいて露出アンダーか否かを検知する第１の検知手段と、前記ストロボ装置の発光量が最大か否かを検知する第２の検知手段と、ストロボ撮影時に前記第１の検知手段により露出アンダーが検知され、かつ前記第２の検知手段により発光量が最大であることが検知されると、ストロボ未到達であると判断する第２の判断手段と、前記第２の判断手段によりストロボ未到達であることが判断されると、該ストロボ撮影時に取り込んだ画像データに対して適正露出となるようにレベル変換した後に前記記録媒体に記録する手段と、を備えたことを特徴としている。
【０００８】
即ち、ストロボ撮影時に取り込んだ画像データに基づいて露出アンダーが検知され、かつストロボ装置の発光量が最大であることが検知されると、ストロボ未到達であると判断するようにしている。そして、前記第２の判断手段によりストロボ未到達であることが判断されると、ストロボ撮影時に取り込んだ画像データに対して適正露出となるようにレベル変換（ゲインをアップ）し、そのレベル変換した画像データを記録媒体に記録するようにしている。尚、警告手段にストロボ未到達を警告するようにしてもよい。
【０００９】
本願請求項３に係る発明は、撮影レンズ及び撮像素子を介して得られる被写体像を示す画像データを記録媒体に記録する電子カメラにおいて、ストロボ装置と、ストロボ撮影時に取り込んだ画像データに基づいて露出アンダーか否かを検知する第１の検知手段と、前記ストロボ装置の発光量が最大か否かを検知する第２の検知手段と、ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、ストロボ撮影時に前記第１の検知手段により露出アンダーが検知され、かつ前記第２の検知手段により発光量が最大であることが検知されると、ストロボ未到達であると判断する第２の判断手段と、前記第１の判断手段により指掛かりがあったことが判断されると、指掛かりを警告し、前記第２の判断手段によりストロボ未到達であることが判断されると、ストロボ未到達を警告する警告手段と、を備えたことを特徴としている。
【００１０】
本願請求項４に係る発明は、撮影レンズ及び撮像素子を介して得られる被写体像を示す画像データを記録媒体に記録する電子カメラにおいて、ストロボ装置と、ストロボ撮影時に取り込んだ画像データに基づいて露出アンダーか否かを検知する第１の検知手段と、前記ストロボ装置の発光量が最大か否かを検知する第２の検知手段と、ストロボ撮影時に前記第１の検知手段により露出アンダーが検知され、かつ前記第２の検知手段により発光量が最大でないことが検知されると、前記ストロボ装置に対する指掛かりがあったと判断する第１の判断手段と、ストロボ撮影時に前記第１の検知手段により露出アンダーが検知され、かつ前記第２の検知手段により発光量が最大であることが検知されると、ストロボ未到達であると判断する第２の判断手段と、前記第１の判断手段により指掛かりがあったことが判断されると、指掛かりを警告する警告手段と、前記第２の判断手段によりストロボ未到達であることが判断されると、該ストロボ撮影時に取り込んだ画像データに対して適正露出となるようにレベル変換した後に前記記録媒体に記録する手段と、を備えたことを特徴としている。
【００１１】
前記第２の検知手段は、本願請求項５に示すように前記ストロボ装置の発光時間又はメインコンデンサの発光前後の電圧変化に基づいて発光量が最大か否かを検知することを特徴としている。
本願請求項６に係る発明は、撮影レンズ及び撮像素子を介して得られる被写体像を示す画像データを記録媒体に記録する電子カメラにおいて、ストロボ装置と、ストロボ撮影時に取り込んだ画像データに基づいて露出アンダーか否かを検知する第１の検知手段と、被写体距離を測定する測距手段と、ストロボ撮影時に前記測距手段によって測定された被写体距離が所定のストロボ到達距離以内か否かを検知する第２の検知手段と、ストロボ撮影時に前記第１の検知手段により露出アンダーが検知され、かつ前記第２の検出手段によりストロボ到達距離以内であることが検知されると、前記ストロボ装置に対する指掛かりがあったと判断する第１の判断手段と、前記第１の判断手段により指掛かりがあったことが判断されると、指掛かりを警告する警告手段と、を備えたことを特徴としている。
【００１２】
本願請求項７に係る発明は、撮影レンズ及び撮像素子を介して得られる被写体像を示す画像データを記録媒体に記録する電子カメラにおいて、ストロボ撮影時に取り込んだ画像データに基づいて露出アンダーか否かを検知するとともに、ストロボ装置の発光量が最大か否かを検知し、前記ストロボ撮影時に露出アンダーが検知され、かつ発光量が最大でないことが検知されると、ストロボ装置に対する指掛かりがあったと判断することを特徴としている。
【００１３】
本願請求項８に係る発明は、撮影レンズ及び撮像素子を介して得られる被写体像を示す画像データを記録媒体に記録する電子カメラにおいて、ストロボ撮影時に取り込んだ画像データに基づいて露出アンダーか否かを検知するとともに、ストロボ装置の発光量が最大か否かを検知し、前記ストロボ撮影時に露出アンダーが検知され、かつ発光量が最大であることが検知されると、ストロボ未到達であると判断し、該ストロボ撮影時に取り込んだ画像データに対して適正露出となるようにレベル変換することを特徴としている。
【００１４】
本願請求項９に係る発明は、撮影レンズ及び撮像素子を介して得られる被写体像を示す画像データを記録媒体に記録する電子カメラにおいて、ストロボ撮影時に取り込んだ画像データに基づいて露出アンダーか否かを検知するとともに、被写体距離を測定し該被写体距離が所定のストロボ到達距離以内か否かを検知し、前記ストロボ撮影時に露出アンダーが検知され、かつ被写体距離が所定のストロボ到達距離以内であることが検知されると、前記ストロボ装置に対する指掛かりがあったと判断することを特徴としている。
【００１５】
【発明の実施の形態】
以下添付図面に従って本発明に係る電子カメラ、電子カメラの指掛かり検出方法及び電子カメラのレベル変換方法の好ましい実施の形態について詳説する。
図１及び図２はそれぞれ本発明に係る電子カメラの外観を示す斜視図であり、図１はカメラ前方から見た斜視図であり、図２はカメラ後方から見た斜視図である。
【００１６】
図１に示すようにカメラ前面には、撮影レンズ１０、ストロボ発光窓１２、ストロボ調光センサ１４、オートフォーカス（ＡＦ）用のＡＦ発光窓１６、ＡＦ受光窓１８、及び光学ファインダの対物側窓２０が設けられ、上面にはレリーズスイッチ２２が設けられている。また、図２に示すようにカメラ背面には、画像表示手段としての液晶モニタ２４、及び光学ファインダの接眼部２６が設けられている。
【００１７】
図３は図１及び図２に示した電子カメラの概略構成を示すブロック図である。同図に示すように、この電子カメラは、主として撮影レンズ１０と、ＣＣＤ等の固体撮像素子３０と、アナログ処理回路３２と、メモリ３４と、信号レベル検出ブロック３６、液晶モニタ２４と、レリーズスイッチ２２等の操作部材３８と、ストロボ制御回路４０、ストロボ発光部４２及びストロボ調光センサ１４からなるオートストロボ装置と、ストロボ発光量検出回路４４と、中央処理装置（ＣＰＵ）４６とから構成されている。
【００１８】
被写体を示す画像光は、撮影レンズ１０を介して固体撮像素子３０の受光面に結像され、ここで画像光の光量に応じた量の信号電荷に変換される。このようにして光電変換された信号電荷は、図示しないＣＣＤ駆動回路から加えられる駆動パルスに基づいて順次転送され、信号電荷に応じた電圧信号（画像信号）として読み出される。
【００１９】
固体撮像素子３０から読み出された画像信号は、アナログ処理回路３２に加えられ、ここでサンプリング／ホールド、色分離、Ａ／Ｄ変換処理等が行われ、Ａ／Ｄ変換された画像データはＣＰＵ４６の制御によりメモリ３４に格納される。そして、レリーズスイッチ２２の半押し時（又はムービー撮影時）にメモリ３４に格納された画像データは、液晶モニタ２４に加えられ、ここで被写体の画像がリアルタイム又はリアルタイムではないが、ほぼ連続した動画として表示される。従って、液晶モニタ２４の画面を見ながらスチル撮影する被写体の構図等を決めることができる。尚、操作部材３８中の表示スイッチにより、液晶モニタ２４の表示をオン／オフすることができ、液晶モニタ２４の表示がオフされている場合には、光学ファインダを使用してスチル撮影する被写体の構図を決めることになる。
【００２０】
また、この電子カメラは、ＡＦ発光窓１６から発光される赤外光をＡＦ受光窓１８を介して受光し、その受光位置に応じて被写体距離を測距する測距センサを有するとともに、被写体の明るさを測定する測光センサを有している（図示せず）。尚、被写体距離は、上記測距センサに限らず、例えば画像信号を用いてコントラストＡＦを行い、合焦時のフォーカスレンズ位置に基づいて測距するようにしてもよい。
【００２１】
オートストロボ装置は、測光センサによって測光された被写体輝度が低輝度時や逆光時に被写体を適正露光で撮影するために所要のストロボ光を発光するもので、低輝度時や逆光時にレリーズスイッチ２２が全押しされると、ＣＰＵ４６からストロボ制御回路４０に発光指令が出力される。ストロボ制御回路４０は、ＣＰＵ４６から発光指令を入力すると、ストロボ発光部４２に発光開始信号を出力し、ストロボ光を発光させる。スロトボ調光センサ１４は被写体からのストロボ反射光を受光し、その受光量に対応する信号をストロボ制御回路４０に出力する。ストロボ制御回路４０はスロトボ調光センサ１４からの信号に基づいてスロトボ調光センサ１４が所定の光量を受光したことを検知すると、ストロボ発光部４２に発光停止信号を出力し、ストロボ発光を停止させる。
【００２２】
ストロボ発光量検出回路４４は、ストロボ制御回路４０から出力される発光開始信号から発光停止信号までの時間を測定し、その測定した時間に基づいてストロボ発光量を検出する。そして、ストロボ発光量に基づいてストロボ発光部４２から発光された発光量が最大か否か（ストロボがフル発光したか否か）を検出し、ストロボがフル発光したか否かを示す信号をＣＰＵ４６に出力する。
【００２３】
尚、ストロボ発光量は、ストロボ用のメインコンデンサの電圧変化を検出することでも分かる。即ち、メインコンデンサの電気容量をＣ、メインコンデンサの発光前の電圧をＶ1 、発光後の電圧をＶ2 とすると、発光に使用された電気エネルギＵは、次式、
【００２４】
【数１】
Ｕ＝Ｃ（Ｖ1 2 −Ｖ2 2 ）／２  …（１）
によって表すことができる。従って、メインコンデンサの発光前後の電圧Ｖ1 、Ｖ2 から発光量を検出することができ、これによりストロボがフル発光したか否かを検出することができる。
【００２５】
さて、被写体の構図等を決定した後、レリーズスイッチ２２が全押しされると、被写体の明るさやピント合わせのための露出／ＡＦ処理後に撮影が行われ、固体撮像素子３０から読み出された画像信号は、Ａ／Ｄ変換されて１コマ分のＲ、Ｇ、Ｂの画像データとしてメモリ３４に一旦格納される。そして、ストロボ撮影以外の撮影時には、Ｒ、Ｇ、Ｂの画像データは、ＹＣ信号（輝度信号Ｙとクロマ信号Ｃ）に変換され、更にＹＣ信号はＪＰＥＧなどの所定のフォーマットで圧縮された後、記録媒体としてのメモリカード５０に記録される。
【００２６】
一方、被写体が低輝度時又は逆光時にはオートストロボ装置によるストボロ撮影が行われ、この場合には、画像データはメモリ３４に格納されるとともに、信号レベル検出ブロック３６に導かれる。信号レベル検出ブロック３６は、１コマ分の画像データ中の全部又は一部（主要被写体が存在する可能性の高い画面中央部分）の信号レベルを検出し、検出した信号レベルに基づいて撮影画像が適正な明るさであるかどうか（即ち、露光アンダーか否か）を検知する。
【００２７】
次に、ストロボ撮影時に信号レベル検出ブロック３６によって検知される露光アンダーか否かの情報と、前述したストロボ発光量検出回路４４によって検知されるストロボがフル発光したか否かの情報に基づいて、ストロボ指掛かりやストロボ未到達を検出する方法について説明する。
図４はストロボ指掛かり等の警告を行う処理手順の第１の実施の形態を示すフローチャートである。
【００２８】
同図に示すように、ストロボ撮影が行われると（ステップＳ１０）、信号レベル検出ブロック３６によりストロボ撮影された画像データの信号レベルを検出する（ステップＳ１２）。そして、この信号レベルから露光アンダーか否かを判別する（ステップＳ１６）。
露出アンダーでないと判別されると、メモリ３４に格納されている画像データをメモリカード５０に記録する（ステップＳ２４）。
【００２９】
一方、露出アンダーであると判別されると、ストロボがフル発光されたか否かを判別する（ステップＳ１６）。即ち、オートストロボ装置を用いたストロボ撮影では、ストロボ光が被写体に当たり反射してきた反射光があるレベルになった時に、ストロボの発光を停止するため、前記レベル検出ブロック３６によって検出される信号レベルは、ほぼ一定の値になる。
【００３０】
従って、ストロボ撮影時に露出アンダーが検出されると、ストロボ指掛かりか、ストロボ未到達であると判断することができる。そこで、露出アンダーであるにもかかわらず、ステップＳ１６でストロボがフル発光されていない場合には、ストロボ指掛かりと判断し、ストロボ指掛かり警告を警告表示部４８（図３参照）に表示する（ステップＳ１８）。
【００３１】
一方、露出アンダーであり、かつステップＳ１６でストロボがフル発光されている場合には、ストロボ未到達であると判断し、ストロボ未到達警告を警告表示部４８に表示する（ステップＳ２０）。
続いて、ストロボ指掛かり時又はストロボ未到達時に撮像し、メモリ３４に格納されている画像データをメモリカード５０に記録するか否かを決める。例えば、液晶モニタ２４に「記録しますか？（Ｙ／Ｎ）」を表示させ、「ＹＥＳ」か「ＮＯ」をユーザーに選択させる。そして、「ＹＥＳ」を選択すると、画像データをメモリカード５０に記録し（ステップＳ２４）、「ＮＯ」を選択すると、メモリカード５０に記録せずに終了する。
【００３２】
図５はストロボ指掛かり等の警告を行う処理手順の第２の実施の形態を示すフローチャートである。尚、図４に示したフローチャートと共通する部分には同一の符号を付し、その詳細な説明は省略する。
この実施の形態では、図４に示したステップＳ２０の代わりに、ステップＳ３０の処理を実行する点で相違する。即ち、ストロボ未到達であることが判別されると、メモリ３４に格納されている画像データを適正露出（最適デジタルデータ）となるようにデジタルゲインコントローラなどでレベル変換する（ステップＳ３０）。その後、レベル変換した画像データをメモリカード５０に記録する（ステップＳ２４）。
【００３３】
上記実施の形態では、主にストロボ調光センサ１４を用いたオートストロボ方式における指掛かり警告について説明したが、次に、被写体距離が分かる場合のストロボ指掛かり等の検出方法について説明する。
図６はストロボ指掛かり等の警告を行う処理手順の第３の実施の形態を示すフローチャートである。尚、図４に示したフローチャートと共通する部分には同一の符号を付し、その詳細な説明は省略する。
【００３４】
この実施の形態では、図４に示したステップＳ１６の代わりに、ステップＳ３２の処理を実行する点で相違する。即ち、ステップＳ１４で露出アンダーであることが判別されると、測距センサで測距された被写体距離がストロボ到達距離以内か否かを判別する（ステップＳ３２）。尚、ステップＳ１４での判断は、ストロボの本発光時に得られた画像データに基づいて判断する場合に限らず、ストロボのプリ発光時に得られた画像データに基づいて判断するようにしてもよい。
【００３５】
さて、ストロボ到達距離（Ｌ）は、開放絞り（Ｆno.)とストロボのガイドナンバー（Ｇno.)より、次式、
【００３６】
【数２】
Ｌ＝（Ｇno.)／（Ｆno.)    …（２）
によって計算することができる。従って、被写体距離が分かると、その被写体距離がストロボ到達距離以内か否かを判断することができる。
そこで、露出アンダーであり、かつステップＳ３２で被写体距離がストロボ到達距離以内であることが判別された場合には、ストロボ指掛かりと判断し、ストロボ指掛かり警告を警告表示部４８に表示させる（ステップＳ１８）。
【００３７】
一方、ステップＳ３２で被写体距離がストロボ到達距離以遠であることが判別された場合には、ストロボ未到達警告を警告表示部４８に表示させる（ステップＳ２０）。尚、ストロボ未到達であると判断された場合には、図５に示したように画像データをレベル変換した後、レベル変換した画像データをメモリカード５０に記録するようにしてもよい。
【００３８】
尚、この実施の形態では、ストロボ指掛かりやストロボ未到達を警告表示部４８に表示するようにしたが、これに限らず、液晶モニタ２４等の画像表示手段に表示するようにしてもよい。
【００３９】
【発明の効果】
以上説明したように本発明によれば、ストロボ撮影時に取り込んだ画像データに基づいて検知される露出状態とストロボ装置の発光量又は被写体距離とに基づいてストロボ指掛かりやストロボ未到達を検知するようにしたため、専用の指掛かりセンサを設けることなく、ストロボ指掛かりやストロボ未到達を警告することができる。また、ストロボ未到達時には画像データをレベル変換するようにしたため、適正データにして記録することができる。
【図面の簡単な説明】
【図１】本発明に係る電子カメラを前方から見た斜視図
【図２】本発明に係る電子カメラを後方から見た斜視図
【図３】図１及び図２に示した電子カメラの概略構成を示すブロック図
【図４】ストロボ指掛かり等の警告を行う処理手順の第１の実施の形態を示すフローチャート
【図５】ストロボ指掛かり等の警告を行う処理手順の第２の実施の形態を示すフローチャート
【図６】ストロボ指掛かり等の警告を行う処理手順の第３の実施の形態を示すフローチャート
【符号の説明】
１０…撮影レンズ、１２…ストロボ発光窓、１４…ストロボ調光センサ、１６…ＡＦ発光窓、１８…ＡＦ受光窓、２０…ファインダ対物窓、２２…レリーズスイッチ、２４…液晶モニタ、３０…固体撮像素子、３２…アナログ処理回路、３４…メモリ、３６…信号レベル検出ブロック、３８…操作部材、４０…ストロボ制御回路、４２…ストロボ発光部、４４…ストロボ発光量検出回路、４６…中央処理装置（ＣＰＵ）、４８…警告表示部、５０…メモリカード
【図１】
0003793982.tif 000002
【図２】
0003793982.tif 000003
【図３】
0003793982.tif 000004
【図４】
0003793982.tif 000005
【図５】
0003793982.tif 000006
【図６】
0003793982.tif 000007